(57)【要約】【課題】フェースアップ式の研磨装置において、ロータリジョイントを介さずに充分な量の液体を基板に供給する。【解決手段】本願は、一実施形態として、基板１１０の被研磨面が上向きとなるように基板１１０を保持する研磨装置１０００のための研磨ヘッド２００を開示する。研磨ヘッド２００は、研磨ヘッド２００の回転シャフト２４０の周囲に設けられた、液体を受けるための液体リザーバ部２３０と、液体リザーバ部２３０の上部に設けられた、液体を液体リザーバ部２３０に注入するための液体注入口２７０と、液体リザーバ部２３０の下部に設けられた、液体を液体リザーバ部２３０から排出するための液体排出口２６０と、液体リザーバ部２３０により受けられた液体を、液体排出口２６０を介して圧送するための圧送部２５０と、を備える。【選択図】図３
2020199617.tif 000002
【特許請求の範囲】
【請求項１】
基板の被研磨面が上向きとなるように前記基板を保持する研磨装置のための研磨ヘッドであって、
前記研磨ヘッドの回転シャフトの周囲に設けられた、液体を受けるための液体リザーバ部と、
前記液体リザーバ部の上部に設けられた、液体を前記液体リザーバ部に注入するための液体注入口と、
前記液体リザーバ部の下部に設けられた、液体を前記液体リザーバ部から排出するための液体排出口と、
前記液体リザーバ部により受けられた液体を、前記液体排出口を介して圧送するための圧送部と、
を備えた、研磨ヘッド。
【請求項２】
請求項１に記載の研磨ヘッドであって、
前記液体リザーバ部は、上部から下部に向かって内径が広くなるように形成される、
研磨ヘッド。
【請求項３】
請求項１または２に記載の研磨ヘッドであって、
前記液体排出口は、前記液体リザーバ部の下部の外周部に設けられる、
研磨ヘッド。
【請求項４】
請求項１から３のいずれか一項に記載の研磨ヘッドであって、
前記圧送部は、前記液体リザーバ部の内部において前記研磨ヘッドの回転シャフトに取り付けられた羽根車を含む、
研磨ヘッド。
【請求項５】
請求項１から３のいずれか一項に記載の研磨ヘッドであって、
前記液体排出口と連通する空間をさらに含み、
前記研磨ヘッドの回転シャフトは、中空であり、
前記圧送部は、前記研磨ヘッドの回転シャフトの内部を通る駆動シャフトと、前記空間に設けられ、前記駆動シャフトに結合された羽根車と、を含む、
研磨ヘッド。
【請求項６】
上面に基板を着脱可能に支持するための基板支持機構と、
前記基板支持機構に対向するように設けられた、請求項１から５のいずれか一項に記載の研磨ヘッドと、
前記研磨ヘッドの前記液体注入口を介して前記液体リザーバに液体を供給するための液体供給ノズルと、
を備える、研磨装置。
【請求項７】
請求項６に記載の研磨装置を用いた研磨方法であって、
前記研磨ヘッドの下面に取り付けられた研磨パッドを前記基板に接触させるステップと、
前記液体供給ノズルから前記液体リザーバ部に液体を供給するステップと、
前記圧送部を駆動させるステップと、
を含む、研磨方法。
【請求項８】
請求項５に従属する請求項６に記載の研磨装置を用いた請求項７に記載の研磨方法であって、
前記圧送部を駆動させるステップとは独立して前記研磨ヘッドを回転させるステップと、
前記圧送部の駆動を制御するステップと、
を含む、研磨方法。
【請求項９】
請求項８に記載の研磨方法であって、
前記圧送部の駆動を制御するステップは、
前記液体リザーバ部に供給された液体の液面位置を測定するステップと、
前記液体の液面位置と基準位置とを比較するステップと、
前記液体の液面位置と前記基準位置との比較結果に応じて、前記圧送部の駆動出力を維持する、上げる、または下げるステップと、
を含む、研磨方法。
【発明の詳細な説明】
【技術分野】
【０００１】
本発明は、研磨ヘッド、当該研磨ヘッドを備える研磨装置、および当該研磨装置を用いた研磨方法に関する。
【背景技術】
【０００２】
半導体加工工程において用いられる基板研磨装置の一種にＣＭＰ（Chemical Mechanical Polishing、化学的機械的研磨）装置が存在する。ＣＭＰ装置は、基板の被研磨面が向いている方向によって「フェースアップ式（基板の被研磨面が上向きの方式）」と「フェースダウン式（基板の被研磨面が下向きの方式）」に大別され得る。
【０００３】
特許文献１（特開平１０−１５８２３号公報）には、フェースアップ式のＣＭＰ装置において基板上に研磨液を供給した場合、研磨に本来必要な量以上の量の研磨液を供給することが必要である旨が記載されている。そこで特許文献１（特に図１（ａ）を参照）は、フェースアップ式のＣＭＰ装置であって、自転可能な研磨ヘッドに設けられた貫通孔を介して被研磨面に研磨液を供給するＣＭＰ装置を開示している。
【０００４】
特許文献２（特開平１１−１３５４６３号公報）にもフェースアップ式のＣＭＰ装置が開示されている。特許文献２は、筒状の自転可能な研磨体本体の上方に位置するノズルから研磨体本体に研磨液を供給し、研磨体本体の下端側に取り付けられた研磨パッドに形成された供給孔から基板に研磨液を供給するＣＭＰ装置を開示している。
【先行技術文献】
【特許文献】
【０００５】
【特許文献１】特開平１０−１５８２３号公報
【特許文献２】特開平１１−１３５４６３号公報
【発明の概要】
【発明が解決しようとする課題】
【０００６】
特許文献１には、研磨液の供給源と研磨ヘッドの接続についての具体的な構成は明示されていない。しかし、回転体である研磨ヘッドに設けられた貫通孔に研磨液を供給するためには、ロータリジョイント（またはロータリジョイントと同等の機能を有する部品または部分：以下では単にロータリジョイントという。）を設ける必要があると考えられる。
【０００７】
研磨液がロータリジョイント内を通過すると、研磨液との化学反応によってロータリジョイントの内部の部品が変質し得る。さらに、研磨液がロータリジョイント内を通過すると、研磨液に含まれる砥粒によってロータリジョイントの内部の部品が摩耗し得る。ロータリジョイントの変質および／または摩耗は、研磨液の供給を不安定にさせ得るほか、研磨液の漏れを引き起こし得る。したがって、ロータリジョイントは定期的に交換されることが好ましい。しかし、ロータリジョイントを交換するためには費用（材料費および人件費など）が必要である。また、部品交換作業中は装置の稼働を停止する必要があるので、部品交換作業によって装置の可動率が低下し得る。
【０００８】
なお、ＣＭＰ装置のための研磨液には砥粒を含まないもの（砥粒レス研磨液）も存在する。この場合、砥粒による部品の摩耗は起こらないと考えられる。しかし、砥粒レス研磨液を用いる場合であっても研磨液との反応による部品の変質は起こり得る。
【０００９】
一方、特許文献２のＣＭＰ装置は、研磨体本体の上方側からノズルを介して研磨液、薬液および／または洗浄液などの液体（以下では単に液体という）を研磨体本体に供給し、研磨パッドに形成された供給孔から重力によって液体を基板に供給することを前提とした構成であるため、液体の基板への供給速度には限界がある。特許文献２のＣＭＰ装置は、限界量を上回る量の液体をノズルから供給すると研磨体本体が溢れるので、大量の液体を供給できず、その結果、研磨速度などの装置性能を改善する上で不利になる可能性がある。
【００１０】
上記の課題は、ＣＭＰ装置に限らず、フェースアップ式の研磨装置であれば生じ得る課題である。そこで本願は、フェースアップ式の研磨装置において、ロータリジョイントを介さずに充分な量の液体を基板に供給することを一つの目的とする。
【課題を解決するための手段】
【００１１】
本願は、一実施形態として、基板の被研磨面が上向きとなるように基板を保持する研磨装置のための研磨ヘッドであって、研磨ヘッドの回転軸の周囲に設けられた、液体を受けるための液体リザーバ部と、液体リザーバ部の上部に設けられた、液体を液体リザーバ部に注入するための液体注入口と、液体リザーバ部の下部に設けられた、液体を液体リザーバ部から排出するための液体排出口と、液体リザーバ部により受けられた液体を、液体排出口を介して圧送するための圧送部と、を備えた研磨ヘッドを開示する。
【図面の簡単な説明】
【００１２】
【図１】図１は一実施形態にかかる研磨装置の正面図である。
【図２】図２は一実施形態にかかる研磨装置の上面図である。
【図３】図３は一実施形態にかかる研磨ヘッドの正面断面図である。
【図４】図４は一実施形態にかかる研磨ヘッドの上面図である。
【図５】図５は一実施形態にかかる研磨ヘッドの正面断面図である。
【図６】図６は一実施形態にかかる研磨ヘッドの正面断面図である。
【図７】図７は一実施形態にかかる研磨方法を説明するフローチャートである。
【図８】図８は一実施形態にかかる研磨方法を説明するフローチャートである。
【図９】図９は一実施形態にかかる研磨方法を説明するフローチャートである。
【発明を実施するための形態】
【００１３】
以下では、図面を参照しながら本発明の一実施形態について説明する。ただし、用いられる図面は模式図である。したがって、図示された部品の大きさ、位置および形状などは、実際の装置における大きさ、位置および形状などとは異なり得る。図１は一実施形態にかかる研磨装置１０００の正面図である。以下では、図１における左右方向をＸ方向（紙面右側を正）、紙面に垂直な方向をＹ方向（紙面手前側を正）、上下方向をＺ方向（紙面上側を正）とする。
【００１４】
図１の研磨装置１０００はフェースアップ式のＣＭＰ装置である。ただし、研磨液、薬液および／または洗浄液などの液体を用いるフェースアップ式の研磨装置であれば、研磨装置１０００はＣＭＰ装置でなくともよい。ここで、フェースアップ式の研磨装置とは、基板の被研磨面が上向きとなるように基板を保持する研磨装置であって、研磨パッドを用いて基板を研磨する研磨装置である。研磨装置１０００は、定盤１００、基板加圧部１５０、研磨ヘッド２００および液体供給ノズル３００を備える。研磨装置１０００はさらに、研磨装置１０００の各構成要素を制御するための制御部４００を備える。
【００１５】
定盤１００は、基板１１０を着脱可能に支持するための基板支持機構の一例であり、研磨されるべき基板１１０を支持しつつ、研磨中に基板１１０がずれないよう保持するために設けられる。定盤１００の上面には基板１１０が着脱可能に支持される。定盤１００は
基板１１０の被支持面（裏面）の全体を支持するだけでなく、基板１１０の被支持面を部分的に支持するものでもよい。基板加圧部１５０は、基板１１０の下側に設けられており、基板１１０を研磨ヘッド２００に対して押し付けるように構成される。基板１１０は円形であっても角形であっても、その他の形状であってもよい。基板加圧部１５０は、１つの基板１１０に対して複数存在してもよい。
【００１６】
研磨ヘッド２００は、基板１１０を挟んで定盤１００と対面する位置に設けられる。研磨ヘッド２００の下面には研磨パッド５００が着脱可能に取り付けられる。研磨装置１０００はさらに回転機構６１０を備える。回転機構６１０は、シャフト２４０を中心に研磨ヘッド２００を回転させることが可能である。ここで、研磨ヘッド２００の回転軸はＺ方向である。なお、本明細書における「シャフト」とは「回転によって動力を伝達する機械的な部品（実際に存在する部品）」を指す用語であり、「回転軸」とは「回転運動の中心となる直線（数学的または仮想的な直線）」を指す用語である。研磨装置１０００はさらに研磨ヘッド２００をＺ方向に移動させて基板１１０の厚さの違いを吸収するための上下動機構６３０を備える。上下動機構６３０により研磨ヘッド２００を下降させることによって、研磨パッド５００の下面が基板１１０の上面に押し付けられる。研磨パッド５００が基板１１０に押し付けられた状態で研磨ヘッド２００を回転させることにより、基板１１０が研磨される。図１では上下動機構６３０が研磨ヘッド２００を上下に駆動させる構成となっているが、定盤１００を上下動させることによって基板１１０の上面が研磨パッド５００に接するよう基板１１０を上下動させる構成であってもよい。
【００１７】
好ましくは、研磨装置１０００はさらに研磨ヘッド２００を水平移動させるための水平動機構６４０を備える。基板１１０の研磨中に、水平動機構６４０により研磨ヘッド２００を移動させることにより、基板１１０の広い領域を研磨することが可能になる。なお、図１の水平動機構６４０は研磨ヘッド２００をＸ方向に移動させるように構成されている。しかし、水平動機構６４０は研磨ヘッド２００をＸ方向および／またはＹ方向に移動させる機構であってもよい。また、図１では、研磨ヘッド２００を基板１１０に対して水平移動させる構成となっているが、定盤１００を駆動させることによって基板１１０を研磨ヘッド２００に対して水平移動させる構成であってもよい。基板１１０と研磨ヘッド２００とを相対的に水平移動させることにより、研磨パッド５００より大きな基板１１０の全面を研磨したり、研磨量のムラを抑制したりできる。
【００１８】
研磨ヘッド２００の下面には、研磨パッド５００と基板１１０との間の押圧力を調整するためのエアバッグ（図示せず）が設けられていてもよい。研磨ヘッド２００の下面にエアバッグを設けた場合、基板加圧部１５０は設けなくてもよい。図１の例では、研磨パッド５００より基板１１０の方が大きく図示されている。しかし、基板１１０より研磨パッド５００の方が大きい構成を採用することも可能である。研磨ヘッド２００は定盤１００より大きくてもよく、小さくてもよい。ここで、基板１１０、研磨パッド５００、研磨ヘッド２００および定盤１００の大きさとは、それらを上方または下方から見た場合における面積、すなわちＸＹ平面上の投影面積を指す。
【００１９】
液体供給ノズル３００は、液体源３１０に保持された研磨液、薬液および／または洗浄液などの液体を研磨装置１０００に供給するために設けられている。より詳細には、液体供給ノズル３００は、研磨ヘッド２００の上部から液体リザーバ部２３０に液体を滴下または流下するように設けられている。液体源３１０は研磨装置１０００の一部を構成する要素であってよい。追加または代替として、研磨装置１０００と別個独立した液体源３１０を用いることも可能である。好ましくは、研磨装置１０００は、液体供給ノズル３００から供給される液体の量を調整するための流量調整機構３２０を備える。流量調整機構３２０は制御部４００によって制御されてもよい。図１では、１つの液体源３１０が１つの液体供給ノズル３００に接続されている。代替として、複数の液体源３１０を１つの液体
供給ノズル３００に接続してもよい。複数の液体源３１０を１つの液体供給ノズル３００に接続した場合、１つの液体供給ノズル３００から複数の種類の液体を供給することが可能になる。さらに、液体供給ノズル３００の数は１つに限らない。液体供給ノズル３００を複数設ける場合、それぞれの液体供給ノズル３００に１つまたは複数の別個独立した液体源３１０を接続してもよい。一方で、液体供給ノズル３００を複数設ける場合、１つの液体源３１０を複数の液体供給ノズル３００に接続してもよい。
【００２０】
液体供給ノズル３００は回転機構６１０により回転させられない。換言すれば、回転機構６１０が研磨ヘッド２００を回転させている間であっても、液体供給ノズル３００は回転機構６１０によって回転させられない。したがって、液体源３１０から液体リザーバ部２３０に液体を供給する際に、液体は回転する部品の内部を通過しない。よって、図１の構成によれば、研磨装置１０００にロータリジョイントを設ける必要がない。特に、ＦＰＤ（Ｆｌａｔ  Ｐａｎｅｌ  Ｄｉｓｐｌａｙ）などに用いられる大型基板（例えば、大型ガラス基板）用のＣＭＰ装置の場合、大型基板をフェースアップで固定して、小径の研磨パッドで研磨を行うことが想定される。この場合、研磨パッドが小さいため、研磨時間を短縮するためには研磨ヘッド２００を高速回転させることになる。すると研磨液に含まれる砥粒の影響によってロータリジョイントが短期間で寿命を迎えることになり研磨装置１０００のメンテナンスが煩雑になるが、本実施形態によれば、ロータリジョイントを設ける必要がないので、研磨装置１０００のメンテナンスの負荷を軽減することができる。ただし、図１の構成にロータリジョイント（たとえば研磨パッド５００を冷却するための冷却水を、研磨ヘッド２００の下部で研磨パッド５００の研磨面に平行に設けた流路内に循環供給するために設けられたロータリジョイント）を加えた構成が排除されるわけではない。
【００２１】
液体供給ノズル３００は上下動機構６３０および／または水平動機構６４０により移動させられるように構成されていてもよい。液体供給ノズル３００が上下動機構６３０および／または水平動機構６４０によって移動させられるように構成することで、液体供給ノズル３００を研磨ヘッド２００の平行移動に追従させることが容易になる。一方で、液体供給ノズル３００は上下動機構６３０および／または水平動機構６４０によって移動させられないように構成されていてもよい。液体供給ノズル３００と上下動機構６３０および／または水平動機構６４０を互いに独立させることで、装置の設計自由度が向上し、かつ、液体源３１０の交換が容易になると考えられる。なお、上下動機構６３０および水平動機構６４０とは別個独立して、液体供給ノズル３００を移動させるための移動機構をさらに設けることも可能である。
【００２２】
図２は一実施形態にかかる研磨装置１０００の上面図である。図２に示すように研磨装置１０００は複数（本実施形態では４個）の研磨ヘッド２００を備え得る。複数の研磨ヘッド２００は、回転機構６１０によって同期して回転させることもできるし、それぞれ独立して回転機構６１０によって回転させることもできる。複数の研磨ヘッド２００は、水平動機構６４０によってＸ方向および／またはＹ方向に移動させることができる。
【００２３】
次に、液体リザーバ部２３０の詳細について図３を用いて説明する。図３は一実施形態にかかる研磨ヘッド２００の正面断面図である。研磨ヘッド２００は、研磨ヘッド２００のシャフト２４０の周囲に設けられた、液体を受けるための液体リザーバ部２３０を含む。具体的には、研磨ヘッド２００は、中央に開口を有する板状の基体２１０と、基体２１０の開口の周囲に設けられた側壁２２０と、を含む。基体２１０の下面には研磨パッド５００が着脱可能に取り付けられる。研磨パッド５００の中央には、基体２１０の開口に対応する位置に、基体２１０の開口より僅かに径が大きいパッド孔５０２が形成される。研磨ヘッド２００のシャフト２４０の下端には、板状のフランジ２４２が取り付けられている。液体リザーバ部２３０は、基体２１０の開口部、側壁２２０、およびフランジ２４２
によって囲まれた空間を含み、この空間に液体を保持するように構成される。側壁２２０は、頂部に開口を有するドーム状に形成されている。具体的には、側壁２２０は、第１の内径αを有する第１の側壁２２２と、第１の内径αより小さな第２の内径βを有し第１の側壁２２２よりも上部に設けられた第２の側壁２２４と、を含む。液体リザーバ部２３０は、上部の内径よりも下部の内径ほうが広くなるように、および／または、上部から下部に向かって内径が広くなるように形成される。側壁２２０の形状は、円錐状、角錐状など、上部に行くほど径方向の距離が小さくなるような形状であれば、ドーム状に限られない。
【００２４】
研磨ヘッド２００は、液体リザーバ部２３０の上部に設けられた、液体を液体リザーバ部２３０に注入するための液体注入口２７０を含む。具体的には、ドーム状に形成された側壁２２０の頂部にはシャフト２４０を囲む環状の開口が形成されており、この開口が液体注入口２７０となる。また、研磨ヘッド２００は、液体リザーバ部２３０の下部に設けられた、液体を液体リザーバ部２３０から排出するための液体排出口２６０を含む。液体排出口２６０は、液体リザーバ部２３０の下部の外周部、具体的にはフランジ２４２の外周部に均等に複数設けられる。また、研磨ヘッド２００は、液体リザーバ部２３０により受けられた液体を、液体排出口２６０を介して圧送するための圧送部２５０を含む。図３の実施形態では、基体２１０、側壁２２０、シャフト２４０、フランジ２４２、および圧送部２５０は一体に形成されている。
【００２５】
図４は一実施形態にかかる研磨ヘッドの上面図である。図３および図４に示すように、圧送部２５０は、液体リザーバ部２３０の内部において研磨ヘッド２００のシャフト２４０に取り付けられた羽根車２５２を含む。羽根車２５２の羽根は、基端部がシャフト２４０に取り付けられており先端部が径方向外側に伸びている。具体的には、羽根車２５２の羽根は、破線Ｒで示す放射方向に対して所定の角度θで研磨ヘッド２００の回転方向（円弧状矢印Ｐ）と反対側に傾斜している。角度θは、研磨ヘッド２００の回転速度、研磨ヘッド２００の寸法、液体供給ノズル３００から供給される液体の性質、および、研磨パッド５００の研磨面に供給すべき液体の量などの種々のパラメータを考慮して決定されてよい。例えば、θは５°より大きく８５°より小さい値である。本実施形態の羽根車２５２には８枚の羽根が設けられているが、羽根車２５２の羽根の枚数および形状は、液体を圧送するという機能を考慮して任意に設定することができる。また、羽根車２５２の羽根は傾斜させずに放射方向に伸びていてもよい。液体排出口２６０は、フランジ２４２の外周部において、羽根車２５２の羽根の先端部に対応する位置に形成されている。液体排出口２６０は、液体リザーバ部２３０の内部と研磨パッド５００のパッド孔５０２とを連通する。液体排出口２６０の数および形状は、液体排出口２６０を介して液体を圧送するという機能を考慮して任意に設定することができる。
【００２６】
液体供給ノズル３００から供給され、液体リザーバ部２３０により受けられた液体は、圧送部２５０によって圧送され、液体排出口２６０を介してパッド孔５０２に流れ込む。具体的には、基板１１０を研磨している間、研磨ヘッド２００は回転する。液体リザーバ部２３０により受けられた液体は、研磨ヘッド２００（シャフト２４０）の回転に伴って回転する羽根車２５２によって液体排出口２６０を介して圧送され、パッド孔５０２を通って研磨パッド５００の研磨面に達する。研磨ヘッド２００の回転により、研磨パッド５００の研磨面に達した液体は研磨ヘッド２００の径方向外側に向かって力を受ける。したがって、基板１１０の研磨中に研磨ヘッド２００の径方向外側に液体が移動し得る。本実施形態によれば、圧送部２５０が液体リザーバ部２３０の内部の液体を強制的に研磨面へと排出し、液体供給を重力に頼らない構造となっているため、大流量の液体を研磨面に供給することが可能である。研磨パッド５００の研磨面には、液体を径方向外側へ流すために、放射状、同心円状、ＸＹ方向の格子状、またはこれらの任意の組み合わせの溝（より具体的には特願２０１８−１３２２３１の図２７、２８の溝３５９の例で、研磨パッドは
その研磨パッド３５２の中央部に本実施例のパッド孔５０２を形成したもの）、またはディンプル状の窪みが形成されていてもよい。
【００２７】
基板１１０の研磨中は、液体リザーバ部２３０に供給された液体は遠心力に曝される。そのため液体リザーバ部２３０は、液体が遠心力で溢れないような形状になっている必要がある。具体的には、本実施形態では、液体リザーバ部２３０の形状を上から下にかけて内径が広くなるようにし、遠心力により液体を下方の液体排出口２６０へ押し出す構造としている。これにより、液体が遠心力で液体リザーバ部２３０から溢れることを防止することができる。特に、ＦＰＤ（Ｆｌａｔ  Ｐａｎｅｌ  Ｄｉｓｐｌａｙ）などに用いられる大型基板用のＣＭＰ装置の場合、大型基板をフェースアップで固定して、小径の研磨パッドで研磨を行うことが想定される。この場合、研磨パッドが小さいため、研磨時間を短縮するためには研磨ヘッド２００を高速回転させることになる。すると、液体リザーバ部２３０の内部の液体には強い遠心力が加わり、液体が液体リザーバ部２３０から溢れるおそれがあるが、本実施形態の液体リザーバ部２３０の形状によれば、液体が遠心力で溢れることを防止することができる。また液体には重力も作用するため、本実施形態で示したような液体リザーバ部２３０の形状であれば、遠心力との合力により液体リザーバ部２３０の底面外周部に設けられた液体排出口２６０へと液体が流れ込むことになる。
【００２８】
次に、研磨ヘッド２００の別の実施形態を説明する。図５は一実施形態にかかる研磨ヘッドの正面断面図である。図３に示す研磨ヘッド２００と同様の構成については説明を省略する。図５に示すように、研磨ヘッド２００は、液体排出口２６０と連通する空間２３２をさらに含む。具体的には、空間２３２は、液体リザーバ部２３０の下側に設けられた空間であり、パッド孔５０２とほぼ同じ径で基体２１０の中央に形成された開口によって形成された空間である。また、本実施形態では、研磨ヘッド２００のシャフト２４０は中空である。圧送部２５０は、シャフト２４０の内部を通る駆動シャフト２５４と、空間２３２に設けられ、駆動シャフト２５４に結合された羽根車２５６と、を含む。駆動シャフト２５４は、シャフト２４０の回転とは独立して羽根車２５６を回転させることができる。羽根車２５６は、駆動シャフト２５４から径方向外側に向かって伸びる複数枚の羽根を含み得る。複数枚の羽根は、駆動シャフト２５４の周方向に沿って所定の間隔で設けられ得る。複数枚の羽根は、例えば一般的な渦巻きポンプのインペラのように、空間２３２の内部の液体を径方向外側に向かって圧送するための任意の形状および構造で構成することができる。以下では、空間２３２の内部の液体を径方向外側に向かって圧送する羽根車２５６を例に挙げて説明するが、羽根車２５６はこれに限られない。例えば、羽根車２５６は、空間２３２の内部の液体を基板１１０に向かって圧送するプロペラのような形状および構造を含み得る。
【００２９】
駆動シャフト２５４によって羽根車２５６を回転させると、空間２３２の内部の液体は、基板１１０と研磨パッド５００との間を径方向外側に向かって圧送される。これにより空間２３２の内部が負圧になると、液体リザーバ部２３０に供給された液体は液体排出口２６０を介して空間２３２へ流れる。このようにして、圧送部２５０は、液体リザーバ部２３０により受けられた液体を、液体排出口２６０を介して研磨パッド５００の研磨面に圧送する。なお、圧送部２５０は、羽根車２５６を回転させて遠心力により液体を研磨面へと送り出し、これにより生じた負圧で液体リザーバ部２３０内の液体を吸入するような構造であるが、同様の働きをするものであれば異なる構成でもよい。また、羽根車２５６がプロペラのような形状および構造を含む場合、駆動シャフト２５４によって羽根車２５６を回転させると、空間２３２の内部の液体は基板１１０に向かって圧送されて基板１１０に衝突し、その結果、上記と同様に基板１１０と研磨パッド５００との間を径方向外側に向かって圧送される。
【００３０】
また、本実施形態によれば、駆動シャフト２５４は、シャフト２４０の回転とは独立し
て羽根車２５６を回転させることができるので、研磨ヘッド２００の回転とは独立して液体リザーバ部２３０に供給された液体を圧送することができる。例えば、研磨ヘッド２００が回転していない、または低速で回転している状態で、研磨パッド５００の研磨面に大量の液体を供給したい場合を想定する。この場合、例えば図３に示す実施形態では、液体リザーバ部２３０に保持された液体には遠心力があまり加わらないため、液体供給を重力に頼ることになり、研磨パッド５００の研磨面に液体が充分に行き渡らないことが考えられる。これに対して、本実施形態によれば、研磨ヘッド２００が回転していない、または低速で回転している状態であっても、研磨ヘッド２００の回転とは独立して駆動シャフト２５４を回転させることによって、液体リザーバ部２３０に保持された液体を研磨パッド５００の研磨面に大量に供給することができる。
【００３１】
次に、研磨ヘッド２００の別の実施形態を説明する。図６は一実施形態にかかる研磨ヘッドの正面断面図である。図６に示すように、駆動シャフト２５４は、駆動モータ２５５によって回転駆動されるようになっている。また、駆動シャフト２５４は、軸受け２５７を介してシャフト２４０に保持されている。また、シャフト２４０の中空部分と空間２３２との間には、液体がシャフト２４０の中空部分に侵入するのを防止するためにシール部材２５９が設けられている。なお、図５の実施形態においても、駆動モータ２５５、軸受け２５７、およびシール部材２５９を備え得る。
【００３２】
圧送部２５０が負圧を利用して液体リザーバ部２３０から液体を吸入する構成である場合、圧送部２５０を含む空間２３２は常に液体で満たされている必要があり、そのためには液体排出口２６０へ絶えず液体を流入させなければならない。しかしながら液体供給ノズル３００からの液体の流入量に対し、圧送部２５０の液体の吸入量が少ないと液体リザーバ部２３０から液体が溢れる。つまり圧送部２５０は、液体リザーバ部２３０が溢れず、かつ液体排出口２６０が常に液体で満たされているように出力を調整する必要がある。そこで、研磨装置１０００は、液体リザーバ部２３０から液体が溢れていないか、液体排出口２６０が液体で満たされているかを監視するために液面監視装置７００を備えてもよい。液面監視装置７００は、液体リザーバ部２３０の内部に保持された液体の液面レベルを測定可能な装置である。図３、図５の実施形態においても、液面監視装置７００を備え得る。
【００３３】
制御部４００は、液面監視装置７００の測定値に基づいて圧送部２５０の駆動出力を制御して、液体供給ノズル３００からの液体の流入量と圧送部２５０の吸入量が常に等しくなるよう調整することができる。また、流量調整機構３２０が制御部４００によって制御される場合、流量調整機構３２０の流量、またはその時間変化量を圧送部２５０の制御に使用してもよい。本実施形態では圧送部２５０が研磨パッド５００の中央に位置し、圧送部２５０の外周部から研磨面へと液体が供給されるものと想定しているため、研磨パッド５００は環状となっているが、研磨パッド５００の形状は環状以外の異なる形状でもよい。
【００３４】
次に、図３で説明した研磨ヘッド２００を用いて基板１１０を研磨する際のフローチャートを図７に示す。図７は、一実施形態にかかる研磨方法を説明するフローチャートである。説明の便宜のため、フローチャートの開始時には基板１１０と研磨パッド５００は接触しておらず、かつ、液体リザーバ部２３０には液体が実質的に存在していないものとする。
【００３５】
本実施形態の研磨方法は、上下動機構６３０または水平動機構６４０によって研磨パッド５００を基板１１０の上面に接触させる（ステップ７１０）。基板１１０によりパッド孔５０２がふさがれ、液体を液体リザーバ部２３０に注げば液体リザーバ部２３０を液体で満たせる状態になる。続いて、研磨方法は、液体供給ノズル３００から液体を液体リザ
ーバ部２３０に流入させる（ステップ７１２）。続いて、研磨方法は、シャフト２４０を駆動（回転）することによって圧送部２５０および研磨ヘッド２００を駆動（回転）して液体リザーバ部２３０内の液体を研磨面へ供給するとともに研磨を開始する（ステップ７１４）。
【００３６】
続いて、研磨方法は、研磨ヘッド２００を水平動機構６４０により水平方向（Ｘ方向および／またはＹ方向）に移動させて基板１１０の研磨位置を変えて、基板１１０の全面の研磨が完了するまで研磨を繰り返す（ステップ７２０）。研磨方法は、基板１１０の全面の研磨が完了したら（ステップ７２０、Ｙｅｓ）、研磨パッド５００を基板１１０から引き離す（ステップ７２２）。続いて、研磨方法は、シャフト２４０の駆動を停止させることによって圧送部２５０および研磨ヘッド２００の回転を停止させて研磨を終了する（ステップ７２４）。続いて、研磨方法は、液体供給ノズル３００からの液体流入を停止する（ステップ７２６）。これにより、液体リザーバ部２３０内の液体は重力により全て排出され、空になる。
【００３７】
次に、図６で説明した研磨ヘッド２００を用いて基板１１０を研磨する際のフローチャートを図８、図９に示す。図８、図９は、一実施形態にかかる研磨方法を説明するフローチャートである。説明の便宜のため、フローチャートの開始時には基板１１０と研磨パッド５００は接触しておらず、かつ、液体リザーバ部２３０には液体が実質的に存在していないものとする。
【００３８】
本実施形態の研磨方法は、上下動機構６３０または水平動機構６４０によって研磨パッド５００を基板１１０の上面に接触させる（ステップ８１０）。基板１１０により圧送部２５０が含まれる空間２３２の開口がふさがれ、液体を液体リザーバ部２３０に注げば圧送部２５０が含まれる空間２３２を液体で満たせる状態になる。続いて、研磨方法は、液体供給ノズル３００から液体を液体リザーバ部２３０に流入させる（ステップ８１２）。続いて、研磨方法は、液面監視装置７００を用いて液体リザーバ部２３０内の液面が基準位置に達するまで待機する（ステップ８１４）。ここで言う基準位置とは、液体が液体リザーバ部２３０から溢れず、かつ圧送部２５０が含まれる空間２３２および液体排出口２６０が液体で満たされるのに十分な液量を確保できる液面位置である。
【００３９】
続いて、研磨方法は、圧送部２５０を駆動（回転）して液体リザーバ部２３０内の液体を研磨面へ供給する（ステップ８１６）。続いて、研磨方法は、研磨ヘッド２００を回転させて研磨を開始する（ステップ８１８）。なお、ステップ８１８はステップ８１６の直後であり、ほぼ同時に実行されてもよい。続いて、研磨方法は、液面監視装置７００の測定結果に基づいて、圧送部２５０の出力を制御して、液体リザーバ部２３０内の液面が常に基準位置を維持するよう調整する（ステップ８２０）。ステップ８２０の詳細については図９を用いて後に説明する。
【００４０】
続いて、研磨方法は、研磨ヘッド２００を水平動機構６４０により水平方向（Ｘ方向および／またはＹ方向）に移動させて基板１１０の研磨位置を変えて、基板１１０の全面の研磨が完了するまでステップ８２０を繰り返す（ステップ８３０）。研磨方法は、基板１１０の全面の研磨が完了したら（ステップ８３０、Ｙｅｓ）、研磨パッド５００を基板１１０から引き離す（ステップ８３２）。続いて、研磨方法は、研磨ヘッド２００の回転を停止させて研磨を終了する（ステップ８３４）。続いて、研磨方法は、圧送部２５０の回転を停止させ、研磨面への液体供給を止める（ステップ８３６）。続いて、研磨方法は、液体供給ノズル３００からの液体流入を停止する（ステップ８３８）。これにより、液体リザーバ部２３０内の液体は重力により全て排出され、空になる。
【００４１】
次に、ステップ８２０における圧送部２５０の出力制御について、図９を用いて説明す
る。研磨方法は、液面監視装置７００を用いて液体リザーバ部２３０内の液面位置を測定する（ステップ８２１）。続いて、研磨方法は、ステップ８２１で測定した液面位置を基準位置と比較する（ステップ８２３）。液面が基準位置と等しい、つまり液面が基準位置にいる場合は（ステップ８２３、Ｙｅｓ）、圧送部２５０の出力は現状維持となるためそのまま終了となる。
【００４２】
研磨方法は、液面が基準位置にいない場合は（ステップ８２３、Ｎｏ）、出力を制御する必要があるためステップ８２５へ進む。研磨方法は、ステップ８２１で測定した液面位置が基準位置より低いかどうか比較する（ステップ８２５）。研磨方法は、ステップ８２１で測定した液面位置が基準位置より低い場合は（ステップ８２５、Ｙｅｓ）、圧送部２５０の液体排出量が液体供給ノズル３００の流入量を上回っているため、ステップ８２９へ進み、圧送部２５０の出力を下げる（ステップ８２９）。これにより液体リザーバ部２３０からの排出量が減少するため、液面位置は上昇する。
【００４３】
一方、研磨方法は、ステップ８２１で測定した液面位置が基準位置より高い場合は（ステップ８２５、Ｎｏ）、圧送部２５０の液体排出量が液体供給ノズル３００からの流入量に追い付いていないため、ステップ８２７へ進み、圧送部２５０の出力を上げる（ステップ８２７）。これにより液体リザーバ部２３０からの液体の排出量が増加するため、液面位置は下降する。基本的な圧送部２５０の出力制御のフローは以上となるが、研磨中に流量調整機構３２０が調整されて、液体リザーバ部２３０への流入量が変化する場合、その変化量を圧送部２５０の制御に反映させてもよい。例えば流入量が増加した場合、液体リザーバ部２３０内の液面が上昇することを見越して、液面監視装置７００によるフィードバックを待たずに、あらかじめ圧送部２５０の出力を上昇させる、といった制御を行ってもよい。
【００４４】
図７、図８、図９のフローチャートにステップを追加すること、図７、図８、図９のフローチャートに示されたステップを別のステップで代替すること、および、図７、図８、図９のフローチャートに示されたステップを削除することが可能である。例えば、液体供給ノズル３００を移動させるための移動機構が設けられている場合、研磨パッド５００の移動に先立って、研磨パッド５００の移動と同時に、または研磨パッド５００の移動の後に、液体供給ノズル３００を液体注入口２７０の上部に移動させるステップが追加されてもよい。他の例として、ステップ８３２の後に研磨パッド５００をドレッサ（図示せず）によりドレッシングするステップが追加されてもよい。また、制御部４００ではなくユーザが手動で各要素を制御してもよい。研磨ヘッド２００の上下動、水平移動および／または回転は、必ずしも上下動機構６３０、水平動機構６４０および／または回転機構６１０により行われる必要はない。研磨装置１０００が、定盤１００を上下動および／または水平移動させるための移動機構を備える場合、ステップ８１０およびステップ８３２は定盤１００のための移動機構により実行されてもよい。例えば、研磨ヘッド２００は、研磨装置１０００とは独立したアクチュエータなどにより移動または回転させられてもよい。極端な例では、ユーザが研磨ヘッド２００を移動または回転させてもよい。図７、図８、図９のフローチャートに示された手法以外の手法に従って研磨を実行してもよい。
【００４５】
以上、いくつかの本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明にはその等価物が含まれることは勿論である。また、上述した課題の少なくとも一部を解決できる範囲、または、効果の少なくとも一部を奏する範囲において、特許請求の範囲および明細書に記載された各構成要素の任意の組み合わせ、または、省略が可能である。
【００４６】
本願は、一実施形態として、基板の被研磨面が上向きとなるように基板を保持する研磨
装置のための研磨ヘッドであって、研磨ヘッドの回転シャフトの周囲に設けられた、液体を受けるための液体リザーバ部と、液体リザーバ部の上部に設けられた、液体を液体リザーバ部に注入するための液体注入口と、液体リザーバ部の下部に設けられた、液体を液体リザーバ部から排出するための液体排出口と、液体リザーバ部により受けられた液体を、液体排出口を介して圧送するための圧送部と、を備えた、研磨ヘッドを開示する。
【００４７】
この研磨ヘッドは、ロータリジョイントを介さずに充分な量の液体を基板に供給することができるという効果を一例として奏する。
【００４８】
さらに本願は、一実施形態として、液体リザーバ部が、上部から下部に向かって内径が広くなるように形成される、研磨ヘッドを開示する。
【００４９】
この研磨ヘッドは、液体リザーバ部の内部の液体が遠心力によって溢れることを防止することができるという効果を一例として奏する。
【００５０】
さらに本願は、一実施形態として、液体排出口が、液体リザーバ部の下部の外周部に設けられる、研磨ヘッドを開示する。
【００５１】
この研磨ヘッドは、液体リザーバ部の内部の液体を遠心力によって液体排出口へと流し込むことができるという効果を一例として奏する。
【００５２】
さらに本願は、一実施形態として、圧送部が、液体リザーバ部の内部において研磨ヘッドの回転シャフトに取り付けられた羽根車を含む、研磨ヘッドを開示する。
【００５３】
この研磨ヘッドは、圧送部が液体リザーバ部の内部の液体を強制的に研磨面へと排出し、液体供給を重力に頼らない構造となっているため、大流量の液体を研磨面に供給することができるという効果を一例として奏する。
【００５４】
さらに本願は、一実施形態として、液体排出口と連通する空間をさらに含み、研磨ヘッドの回転シャフトが、中空であり、圧送部が、研磨ヘッドの回転シャフトの内部を通る駆動シャフトと、空間に設けられ、駆動シャフトに結合された羽根車と、を含む、研磨ヘッドを開示する。
【００５５】
この研磨ヘッドは、研磨ヘッドの回転とは独立して液体リザーバ部に保持された液体を研磨パッドの研磨面に大量に供給することができるという効果を一例として奏する。
【００５６】
さらに本願は、一実施形態として、上面に基板を着脱可能に支持するための基板支持機構と、基板支持機構に対向するように設けられた、上記のいずれかに記載の研磨ヘッドと、研磨ヘッドの液体注入口を介して液体リザーバに液体を供給するための液体供給ノズルと、を備える、研磨装置を開示する。
【００５７】
この開示内容により、いずれかの実施形態にかかる研磨ヘッドが適用される装置が明らかになる。
【００５８】
さらに本願は、一実施形態として、上記の研磨装置を用いた研磨方法であって、研磨ヘッドの下面に取り付けられた研磨パッドを基板に接触させるステップと、液体供給ノズルから液体リザーバ部に液体を供給するステップと、圧送部を駆動させるステップと、を含む、研磨方法を開示する。
【００５９】
この研磨方法は、ロータリジョイントを介さずに充分な量の液体を基板に供給すること
ができるという効果を一例として奏する。
【００６０】
さらに本願は、一実施形態として、上記の研磨装置を用いた研磨方法であって、圧送部を駆動させるステップとは独立して研磨ヘッドを回転させるステップと、圧送部の駆動を制御するステップと、を含む、研磨方法を開示する。
【００６１】
この研磨方法は、研磨ヘッドの回転とは独立して液体リザーバ部に保持された液体を研磨パッドの研磨面に大量に供給することができるという効果を一例として奏する。
【００６２】
さらに本願は、一実施形態として、圧送部の駆動を制御するステップが、液体リザーバ部に供給された液体の液面位置を測定するステップと、液体の液面位置と基準位置とを比較するステップと、液体の液面位置と基準位置との比較結果に応じて、圧送部の駆動出力を維持する、上げる、または下げるステップと、を含む、研磨方法を開示する。
【００６３】
この研磨方法は、液体が液体リザーバ部から溢れず、かつ圧送部が含まれる空間および液体排出口が液体で満たされるのに十分な液量を確保できるという効果を一例として奏する。
【符号の説明】
【００６４】
１００・・・定盤
１１０・・・基板
２００・・・研磨ヘッド
２２０・・・側壁
２２２・・・第１の側壁
２２４・・・第２の側壁
２３０・・・液体リザーバ部
２３２・・・空間
２４０・・・シャフト
２５０・・・圧送部
２５２・・・羽根車
２５４・・・駆動シャフト
２５６・・・羽根車
２６０・・・液体排出口
２７０・・・液体注入口
３００・・・液体供給ノズル
４００・・・制御部
５００・・・研磨パッド
７００・・・液面監視装置
１０００・・・研磨装置
α・・・第１の内径
β・・・第２の内径
【図１】
2020199617.tif 000003
【図２】
2020199617.tif 000004
【図３】
2020199617.tif 000005
【図４】
2020199617.tif 000006
【図５】
2020199617.tif 000007
【図６】
2020199617.tif 000008
【図７】
2020199617.tif 000009
【図８】
2020199617.tif 000010
【図９】
2020199617.tif 000011